(57)【要約】    【課題】  落下により紛失しても情報の漏洩を防止できる携帯端末を提供する。    【解決手段】  情報コード読取装置１０を持ち主が予期せぬ状況で落とし、第３者に拾得されても、落下した時点でバッファ１８ａ、１８ｂを遮断し通信部４８を介しての通話を不可能にするため、当該第３者による情報コード読取装置１０の偽装操作を防ぐことができる。また、第２記憶部３５ｂに記憶された特定の情報の読み出しを制限するため、当該第３者への情報の漏洩を防ぐことができる。【選択図】  図４
2008005322.tif 000002
【特許請求の範囲】
【請求項１】
動作を制限する制限手段と、通常使用時には前記制限手段を停止させる制御手段とを備える携帯端末であって、
落下を検出する落下検出手段を備え、
前記制御手段は、前記落下検出手段により落下が検出された場合に、前記制限手段を動作させることを特徴とする携帯端末。
【請求項２】
前記制限手段は、記憶手段に記憶された特定の情報の読み出しを制限することを特徴とする請求項１の携帯端末。
【請求項３】
前記制御手段による前記制限手段の動作を解除させるための動作制限解除手段を備えることを特徴とする請求項１又は請求項２の携帯端末。
【請求項４】
前記動作制限解除手段は、キー操作によるパスワード入力、情報コードの読み取り、ＲＦタグの読み取り、又は、生体認証により前記制限手段の動作を解除させることを特徴とする請求項３の携帯端末。
【請求項５】
前記落下検出手段及び前記制御手段は、常時電源を前記落下検出手段及び前記制御手段の少なくとも一部に供給し続ける電源供給手段を備え、
主電源のオフ状態でも該落下検出手段により落下が検出された場合に、該制御手段が前記制限手段を動作させることを特徴とする請求項１〜請求項４のいずれか１の携帯端末。
【請求項６】
前記主電源のオフ状態中に前記落下検出手段により落下が検出され、前記制御手段が前記制限手段を動作させた場合、主電源がオン状態になったときに、落下を検出したことを表示するオフ時落下表示手段を備えることを特徴とする請求項５の携帯端末。
【請求項７】
前記落下検出に基づく前記制限手段の動作を解除するための操作方法を表示する解除操作表示手段を備えることを特徴とする請求項３又は請求項４の携帯端末。
【発明の詳細な説明】
【技術分野】
【０００１】
本発明は、情報コードを読み取る情報コード読取装置、クレジットカードを読み取る携帯式カード読取装置、携帯電話等の携帯端末に関するものである。
【背景技術】
【０００２】
現在、代引きの宅配サービスで、携帯式カード読取装置によって荷受け人のクレジットカードを読み取ることで、決済が行われている。更に、この決済方法を簡易化するため、情報コードの印刷された専用のカードを用い、情報コード読取装置でこの情報コードを読み取り、決済を行うことが検討されている。
【０００３】
係る携帯式カード読取装置、情報コード読取装置で読み取った情報は荷受け人の個人情報であり、第３者に漏れてはならない情報である。しかしながら、宅配サービス業者が荷物の集配中に携帯式カード読取装置、情報コード読取装置を誤って落として失った場合、これを拾得した第３者によって荷受け人の個人情報が漏れる恐れがある。特許文献１には、携帯電話に落下検出センサを搭載し、落下の衝撃を検出してブザーを鳴らすことが開示されている。
【特許文献１】特開平１１−２９６７６５号公報
【発明の開示】
【発明が解決しようとする課題】
【０００４】
しかしながら、ブザーによる落下報知では、ブザー音が周囲の雑音に紛れ、使用者が落下に気付かないことがあり、十分に機能を果たせないことが懸念される。
【０００５】
本発明は、上述した課題を解決するためになされたものであり、その目的とするところは、落下により紛失しても情報の漏洩を防止できる携帯端末を提供することにある。
【課題を解決するための手段】
【０００６】
上記目的を達成するため、本発明は、動作を制限する制限手段と、通常使用時には前記制限手段を停止させる制御手段とを備える携帯端末であって、
落下を検出する落下検出手段を備え、
前記制御手段４０は、前記落下検出手段３０により落下が検出された場合に（Ｓ１２：Ｙｅｓ）、前記制限手段１８ａ、１８ｂを動作させる（Ｓ２４）こと技術的特徴とする。
【発明の効果】
【０００７】
請求項１の携帯端末は、持ち主が予期せぬ状況で落とし、第３者に拾得されても、落下した時点で所定の動作を制限するため、当該第３者による携帯端末の偽装操作、携帯端末からの情報の漏洩を防ぐことができる。
【０００８】
請求項２の携帯端末は、持ち主が予期せぬ状況で落とし、第３者に拾得されても、落下した時点で記憶手段に記憶された特定の情報の読み出しを制限するため、当該第３者への情報の漏洩を防ぐことができる。
【０００９】
請求項３の携帯端末は、落下により動作制限が掛かっても、動作制限を解除させることができるため、使用者が誤って落下させても正常な動作を復帰させることができる。
【００１０】
請求項４の携帯端末は、落下により動作制限が掛かっても、キー操作によるパスワード入力、情報コードの読み取り、ＲＦタグの読み取り、又は、生体認証により動作制限を解除させることができる。このため、持ち主が誤って落下させても正常な動作を復帰させることができる。また、持ち主以外の第３者による解除が困難でセキュリティーが高く、第３者による携帯端末の偽装操作、携帯端末からの情報の漏洩を防ぐことができる。
【００１１】
請求項５の携帯端末は、主電源のオフ状態でも落下を検出した場合に、所定の動作を制限する。このため、持ち主が主電源のオフ状態で携帯端末を落とし、第３者に拾得されても、当該第３者による携帯端末の偽装操作、携帯端末からの情報の漏洩を防ぐことができる。
【００１２】
請求項６の携帯端末は、主電源のオフ状態でも落下を検出した場合に、所定の動作を制限する。主電源がオン状態になったときに、落下を検出したことを表示する。このため、操作者が携帯端末を落下させたことに気づかない状態で、所定の動作が制限されていても、落下により動作が制限されていることを知らしめることができる。
【００１３】
請求項７の携帯端末は、落下により携帯端末の所定の動作を制限した際に、動作制限を解除するための操作方法を表示する。このため、使用者はマニアル等を参照することなく簡単に動作制限を解除させることができる。
【発明を実施するための最良の形態】
【００１４】
[第１実施形態]
以下、本発明の携帯端末を情報コード読取装置に適用した実施形態について図を参照して説明する。まず、第１実施形態に係る情報コード読取装置１０の構成概要を図１〜図３に基づいて説明する。図１は、情報コード読取装置のハウジング等の構成概要を示す部分縦断面図であり、図２は、情報コード読取装置の回路部の構成概要を示すブロック図であり、図３は、情報コード読取装置の平面図である。
【００１５】
図１に示すように、ＱＲコードＱを読み取る情報コード読取装置１０は、主に、縦長のほぼ矩形箱状なすハウジング１１を備える。ハウジング１１は、例えば、ＡＢＳ樹脂等の合成樹脂からなる成形部品で、その一端側に読取口１１ａを備えている。この読取口１１ａは、後述する回路部２０の受光センサ２３に入射する入射光を導入可能な開口部である。このハウジング１１の他端側には、二次電池４９が収容されている。ハウジング１１の表面側には液晶表示器４６を取付可能な開口部も形成されており、図３に示すように情報コード読取装置１０の使用者が液晶表示器４６に表示する表示内容を視覚的に把握可能に構成してある。ハウジング１１の内部には、後述する回路部２０が収容されている。なお、図１には、回路部２０を構成するプリント配線板１５，１６が図示されている。
【００１６】
図２に示すように、回路部２０は、主に、赤色発光ダイオード２１、集光レンズ５２、受光センサ２３、結像レンズ２７等の光学系と、メモリ３５、制御回路４０、操作スイッチ１２、１４、液晶表示器４６等のマイクロコンピュータ（以下「マイコン」という）系と、電源スイッチ４１、電池４９、電源回路３９等の電源系と、から構成されており、前述したプリント配線板１５，１６に実装あるいはハウジング１１内に内装されている。
【００１７】
光学系を構成する赤色発光ダイオード２１は、照明光Ｌｆを照射可能な光照射器として機能するもので、拡散レンズと凸レンズとを組み合わせた集光レンズ５２により集光させる。本実施形態では、受光センサ２３を挟んだ両側に赤色発光ダイオード２１が設けられており、ハウジング１１の読取口１１ａを介して読取対象のカードＲに向けて照明光Ｌｆを照射可能に構成されている。なお、このカードＲは、情報コードとしてのＱＲコードＱが印刷された、代引きの宅配サービスの決済用のものである。
【００１８】
受光センサ２３は、カードＲやＱＲコードＱに照射されて反射した反射光Ｌｒを結像レンズ２７を介して受光可能に構成されるもので、例えば、Ｃ−ＭＯＳやＣＣＤ等の固体撮像素子から成る二次元イメージセンサにより構成される。この受光センサ２３の受光面２３ａは、ハウジング１１外から読取口１１ａを介して外観可能に位置している。
【００１９】
結像レンズ２７は、外部から読取口１１ａを介して入射する入射光を集光して受光センサ２３の受光面２３ａに像を結像可能な結像光学系として機能するもので、例えば、鏡筒とこの鏡筒内に収容される複数の集光レンズとにより構成されている。本実施形態では、赤色発光ダイオード２１から照射された照明光ＬｆがＱＲコードＱに反射して読取口１１ａに入射する反射光Ｌｒを集光することにより、受光センサ２３の受光面２３ａにコード像を結像可能にしている。
【００２０】
マイコン系の構成概要を説明する。マイコン系は、増幅回路３１、Ａ／Ｄ変換回路３３、メモリ３５、アドレス発生回路３６、同期信号発生回路３８、制御回路４０、操作スイッチ１２、１４、ＬＥＤ４３、ブザー４４、液晶表示器４６、通信部４８、落下検出センサ３０等から構成されている。このマイコン系は、その名の通り、マイコン（情報処理装置）として機能し得る制御回路４０およびメモリ３５と中心に構成されるもので、前述した光学系によって撮像されたコード像等の画像信号をハードウェア的およびソフトウェア的に信号処理し得るものである。また制御回路４０は、当該情報コード読取装置１０の全体システムに関する制御も行っている。
【００２１】
光学系の受光センサ２３から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、メモリ３５に入力されて蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２２】
制御回路４０は、情報コード読取装置１０全体を制御可能なマイコンで、ＣＰＵ、システムバス、入出力インタフェース等からなるもので、メモリ３５とともに情報処理装置を構成し得るもので情報処理機能を有する。この制御回路４０には、内蔵された入出力インタフェースを介して種々の入出力装置（周辺装置）と接続可能に構成されており、本実施形態の場合、電源スイッチ４１、操作スイッチ１２、１４、ＬＥＤ４３、ブザー４４、液晶表示器４６、落下検出センサ３０、通信部４８等が接続されている。通信部４８は、携帯電話用の公衆回線を介して、読み取ったデータの転送を行い得るように構成されている。
【００２３】
図４は、第１実施形態の情報コード読取装置１０による落下検出時の制御動作を説明するためのブロック図である。
電源回路３９から電源ラインを介して、落下検出センサ３０、通信部４８、制御回路４０、メモリの第１記憶部３５ａ、第２記憶部３５ｂに、落下検出センサ３０及び制御回路４０の一部又は全部には電源スイッチ（主電源）４１のオン／オフに関わりなく電力が供給されている。制御回路４０からの信号ラインには、落下検出センサ３０及び第１記憶部３５ａが直接接続され、通信部４８がバッファ１８ａを介して、第２記憶部３５ｂがバッファ１８ｂを介して接続されている。ここで、第１記憶部３５ａには、動作制御プログラム、後述する認証方法等のプログラムが記憶されている。一方、第２記憶部３５ｂには、情報コード読取装置１０の操作により読み取ったＱＲコードＱの内容等の第３者に漏洩したくない内容が記憶されている。第１実施形態の情報コード読取装置１０では、第１記憶部３５ａ側へ記憶させる内容と、第２記憶部３５ｂ側へ記憶させる内容とを、操作スイッチ１２、１４の操作により任意に設定することができよう構成されている。
【００２４】
ここで、情報コード読取装置１０が落下したことを落下検出センサ３０が検出すると、制御回路４０がバッファ１８ａ、１８ｂを遮断し、通信部４８を介しての通話・通信を不能にし、また、第２記憶部３５ｂに記憶された内容を読めなくする（ロック状態にする）。バッファ１８ａ及びバッファ１８ｂが請求項１の制御手段に相当する。
【００２５】
この情報コード読取装置１０による処理について、図５〜図７を参照して説明する。
図５に示すように情報コード読取装置１０は、落下検出センサ３０による落下検出に待機している（Ｓ１２）。ここで、落下が検出（０Ｇを２００ms間検出）されると（Ｓ１２：Ｙｅｓ）、主電源がオンされているか否かを判断し（Ｓ１４）、主電源がオフされている際には（Ｓ１４：ＯＦＦ）、主電源をオンする（Ｓ１６）。そして、メモリにアクセスし（Ｓ１８）、緊急の連絡先が設定してあるか否かを判断する（Ｓ２０）。ここで、緊急の連絡先が設定してある場合には（Ｓ２０：Ｙｅｓ）、緊急の連絡先を液晶表示器４６に表示する（Ｓ２２）。例えば、「この情報コード読取装置を取得された方は○○○○○○○○○○にお電話下さい」等の表示を行う。その後、図４を参照して上述したように、バッファ１８ａ、１８ｂを遮断し、通信部４８を介しての通信を不能にし、また、第２記憶部３５ｂに記憶された内容が読み出せないロック状態にする。
【００２６】
図６は、情報コード読取装置１０の通常時の処理を示している。
主電源がオンされると（Ｓ３２：ＯＮ）、ロック状態かを判断し（Ｓ３４）、ロック状態では無い場合には（Ｓ３４：Ｎｏ）、バッファ１８ａ、１８ｂを接続し、通信部４８を介しての通信可能にし、また、第２記憶部３５ｂに記憶された内容へのアクセスを可能にする（Ｓ３８）。一方、ロック状態においては（Ｓ３４：Ｙｅｓ）、バッファ１８ａ、１８ｂを遮断し、通信部４８を介しての通信を不能にし、また、第２記憶部３５ｂに記憶された内容が読み出せないロック状態にする。そして、図３中に示すように液晶表示器４６に、落下がありロックが掛かっていることと、ロックを解除する方法とを、例えば、「落下検出ロック中  ロック解除にはパスワードを入力してください」の様に表示する（Ｓ４０）。
【００２７】
図７は、情報コード読取装置１０のロック解除時の処理を示している。
情報コード読取装置１０は、パスワードの入力に待機しており（Ｓ５２）、図３中に示す操作スイッチ（テンキー）１４を介してパスワードが入力されると（Ｓ５２：Ｙｅｓ）、予め設定されたパスワードと一致するかを判断し（Ｓ５４）、一致している場合には（Ｓ５４：Ｙｅｓ）、バッファ１８ａ、１８ｂを接続し、通信部４８を介しての通信可能にし、また、第２記憶部３５ｂに記憶された内容へのアクセスを可能にするロック解除を行う（Ｓ５６）。
【００２８】
第１実施形態の情報コード読取装置１０は、持ち主が予期せぬ状況で落とし、第３者に拾得されても、落下した時点で通信部４８を介しての通話を不可能にするため、当該第３者による情報コード読取装置１０の偽装操作を防ぐことができる。また、第２記憶部３５ｂに記憶された特定の情報の読み出しを制限するため、当該第３者への情報の漏洩を防ぐことができる。特に、主電源のオフ状態でも落下を検出した場合にロックが掛かるため、持ち主が主電源のオフ状態で情報コード読取装置を落とし、第３者に拾得されても、当該第３者による情報コード読取装置の偽装操作、情報コード読取装置からの情報の漏洩を防ぐことができる。
【００２９】
また、第１実施形態の情報コード読取装置１０は、落下によりロックが掛かっても、テンキー１４を介してのパスワード入力で、ロック状態を解除させることができるため、使用者が誤って落下させても正常な動作を復帰させることができる。また、持ち主以外の第３者による解除が困難でセキュリティーが高く、第３者による情報コード読取装置の偽装操作、情報コード読取装置からの情報の漏洩を防ぐことができる。第１実施形態では、キー操作によるパスワード入力によりロック解除を行ったが、この代わりに、ロック解除用の情報コードの読み取り、ロック解除用のＲＦタグの読み取り、又は、指紋認証等の生体認証によってロック解除することも可能である。これらの方法を用いれば、パスワード入力よりも更にセキュリティーを高めることができる。
【００３０】
更に、第１実施形態の情報コード読取装置１０は、主電源のオフ状態で落下を検出しロックを掛けた場合に、主電源がオン状態になったときに、落下を検出しロックを掛けたことを表示する。このため、操作者が情報コード読取装置１０を落下させたことに気づかない状態で、ロックされていても、落下によりロック状態となっていることを知らしめることができる。また、ロック状態となった際に、ロックを解除するための操作方法を表示する。このため、使用者はマニアル等を参照することなく簡単にロックを解除させることができる。
【００３１】
[第２実施形態]
引き続き、本発明の第２実施形態に係る携帯端末について説明する。
上述した第１実施形態では、本発明の構成を情報コード読取装置に適用した。これに対して、第２実施形態では、本発明の構成を携帯電話に適用している。図８は、第２実施形態に係る携帯電話による落下検出時の制御動作を説明するためのブロック図である。
【００３２】
電源回路３９から、電源ラインを介して落下検出センサ３０、制御回路４０、メモリの第１記憶部３５ａに電力が供給されている。通信部４８はスイッチＳＷａを介して、第２記憶部３５ｂはスイッチＳＷｂを介して電力が供給されている。ここで、第１記憶部３５ａには、動作制御プログラム、後述する認証方法等のプログラムが記憶されている。一方、第２記憶部３５ｂには、携帯電話の操作により入力した電話帳等の第３者に漏洩したくない内容が記憶されている。第２実施形態の携帯電話では、第１記憶部３５ａ側へ記憶させる内容と、第２記憶部３５ｂ側へ記憶させる内容とを操作スイッチの操作により任意に設定することができる。例えば、登録した電話番号、登録したメールアドレス、着信履歴、発信履歴等が、設定により任意に第２記憶部３５ｂ側へ記憶させことができる。
【００３３】
ここで、使用者が携帯電話を落としたことを落下検出センサ３０が検出すると、制御回路４０がスイッチＳＷａ、ＳＷｂを遮断し、通信部４８を介しての通信を不能にし、また、第２記憶部３５ｂに記憶された内容を読み出せないロック状態にする。スイッチＳＷａ及びスイッチＳＷｂが請求項１の制限手段に相当する。第２実施形態の携帯電話のロック解除動作は、上述した第１実施形態と同様であるため、説明を省略する。
【００３４】
第２実施形態の携帯電話では、持ち主が予期せぬ状況で落とし、第３者に拾得されても、落下した時点で通信部４８を介しての通話を不可能にするため、当該第３者による携帯電話での通話を防ぐことができる。また、第２記憶部３５ｂに記憶された特定の情報の読み出しを制限するため、当該第３者への電話番号、登録したメールアドレス、着信履歴、発信履歴等の漏洩を防ぐことができる。
【産業上の利用可能性】
【００３５】
上述した実施形態では、本発明の構成を情報コード読取装置、携帯電話に適用した例を挙げたが、本発明の構成は、クレジットカードを読み取る携帯式カード読取装置の他、電子手帳等のＰＡＤ、さらには、ラップトップコンピュータ等の携帯端末にも適用可能である。
【図面の簡単な説明】
【００３６】
【図１】本発明の第１実施形態に係る情報コード読取装置の断面図である。
【図２】図１に示す情報コード読取装置の回路構成を示すブロック図である。
【図３】図１に示す情報コード読取装置の平面図である。
【図４】第１実施形態の情報コード読取装置による落下検出時の制御動作を説明するためのブロック図である。
【図５】情報コード読取装置によるロック設定処理を示すフローチャートである。
【図６】情報コード読取装置による通常の処理を示すフローチャートである。
【図７】情報コード読取装置によるロック解除処理を示すフローチャートである。
【図８】第２実施形態の情報コード読取装置による落下検出時の制御動作を説明するためのブロック図である。
【符号の説明】
【００３７】
１０  情報コード読取装置
１２  操作スイッチ
１４  操作スイッチ（テンキー）
１８ａ、１８ｂ  バッファ（制限手段）
２１  発光ダイオード
２３  受光センサ
３０  落下検出センサ
３５  メモリ
３５ａ  第１記憶部
３５ｂ  第２記憶部
３９  電源回路
４０  制御回路（制御手段）
【図１】
2008005322.tif 000003
【図２】
2008005322.tif 000004
【図３】
2008005322.tif 000005
【図４】
2008005322.tif 000006
【図５】
2008005322.tif 000007
【図６】
2008005322.tif 000008
【図７】
2008005322.tif 000009
【図８】
2008005322.tif 000010